(57)【特許請求の範囲】
【請求項１】
入力電圧をスイッチング手段によってスイッチングしたスイッチング電圧が入力される一次巻線、および、複数の二次巻線を有するトランスと、
前記複数の二次巻線のうちの少なくとも１つに誘起された交流電圧を直流化手段で直流化して、所定の出力電圧を出力する直流出力回路と、
前記直流化手段の出力側に接続されたトランジスタを、サイリスタを非導通状態から導通状態にしてオフさせることで過電圧保護動作を実行する過電圧保護回路と、
前記過電圧保護回路の出力側に分離自在に設けられ、該過電圧保護回路から出力された直流電圧が入力されるＤＣ−ＤＣコンバータと、
前記過電圧保護回路の出力側と前記ＤＣ−ＤＣコンバータの入力側とを分離可能にする接続手段と
を備え、
前記接続手段によって前記過電圧保護回路の出力側と前記ＤＣ−ＤＣコンバータの入力側とが分離されるとき、前記サイリスタを通じて流れる電流経路が遮断されることを特徴とする多出力電源回路。
【請求項２】
前記ＤＣ／ＤＣコンバータから出力される出力電圧の過電圧を検出する過電圧検出回路
をさらに備え、
前記過電圧保護回路が、
前記直流化手段からのびる一対の出力ラインのうちの一方の出力ラインに介装されたトランジスタ、前記トランジスタの入力端とベースの間に接続された抵抗、および、前記トランジスタのベースにアノード側が接続されたサイリスタを含み、
前記接続手段の接続状態において、
前記サイリスタのカソード側と前記一対の出力ラインのうちの他方の出力ラインとが接続され、前記サイリスタのゲートと前記過電圧検出回路とが接続され、
前記接続手段の分離状態において、
前記サイリスタのカソード側と前記他方の出力ラインとの接続が切り離されることを特徴とする請求項１に記載の多出力電源回路。
【請求項３】
前記接続手段は前記過電圧保護回路の出力側と前記ＤＣ−ＤＣコンバータの入力側とを着脱自在なコネクタからなることを特徴とする請求項１または２に記載の多出力電源回路。
【発明の詳細な説明】
【技術分野】
【０００１】
本発明は、多出力電源回路、より詳細には、接続手段を介して過電圧保護回路の出力側に着脱自在に接続されたＤＣ／ＤＣコンバータを備えた多出力電源回路に関するものである。
【背景技術】
【０００２】
近年、一次巻線および複数の二次巻線を有するトランスと、複数の二次巻線のそれぞれに接続された複数の直流出力回路とを備えた多出力電源回路が知られている（例えば、特許文献１の図６参照）。
この複数の直流出力回路の少なくとも１つは、二次巻線に誘起された交流電圧を、当該二次巻線に接続された一対の出力ラインに設けられた直流化手段（整流平滑回路）およびＤＣ／ＤＣコンバータによって直流安定化して、所定の出力電圧を出力するようになっている。
【０００３】
また、このような出力電圧の過電圧を検出する過電圧検出回路（一対の出力ライン間に直列接続されたツェナーダイオードおよび抵抗からなる回路）と、この過電圧検出回路が過電圧を検出した場合に、一対の出力ラインに接続された負荷回路を保護する（過電圧保護動作を実行する）過電圧保護回路を備えた電源回路が知られている（例えば、特許文献２の図１参照）。
この過電圧保護回路は、一方の出力ラインに介装されたトランジスタと、このトランジスタの入力端とベースの間に接続された抵抗と、アノード側がこのベースに接続され、カソード側が他方の出力ラインに接続され、ゲートが過電圧検出回路に接続されたサイリスタとを備える。この過電圧保護回路では、過電圧検出時（過電圧保護動作時）に、サイリスタが導通状態となって、トランジスタがオフ状態となる。
【０００４】
さらに、図４に示すように、特許文献１のような多出力電源回路において、コネクタを介して特許文献２のような過電圧保護回路の出力側に着脱自在に接続されたＤＣ／ＤＣコンバータを備えたものが応用化されている。
この多出力電源回路１’は、一次巻線Ｎ１および複数の二次巻線Ｎ２、Ｎ３を有するトランスＴと、複数の二次巻線Ｎ２、Ｎ３にそれぞれ接続された直流出力回路２、５’とを備える。
直流出力回路２は、整流ダイオードＤ１および平滑コンデンサＣ１からなる直流化手段３と、制御回路４とを備える。
直流出力回路５’は、二次巻線Ｎ３に接続された一対の出力ラインＬ１、Ｌ２に設けられた、整流ダイオードＤ２および平滑コンデンサＣ２からなる直流化手段６と、過電圧保護回路７’およびＤＣ／ＤＣコンバータ９からなる電圧安定化手段と、過電圧検出回路１０とを備える。
【０００５】
一次巻線Ｎ１には、ＦＥＴＱ１からなるスイッチング手段によって入力電圧Ｖｉがスイッチングされたスイッチング電圧が入力される。
直流出力回路２は、二次巻線Ｎ２に誘起された交流電圧を直流化手段３で直流化して、出力電圧Ｖｏ１を出力する。この出力電圧Ｖｏ１は、制御回路４が出力側の電圧に基づいてＦＥＴＱ１をＰＷＭ制御するフィードバック制御により、安定化される。
直流出力回路５’は、二次巻線Ｎ３に誘起された交流電圧を、直流化手段６および電圧安定化手段（７’、９）によって直流安定化して、一対の出力端子から所定の出力電圧Ｖｏ２を出力する。
【０００６】
過電圧保護回路７’は、トランジスタ（ＮＰＮトランジスタ）Ｑ２、抵抗Ｒ２、サイリスタＳＣＲ、ツェナーダイオードＺＤ２およびコンデンサＣ３を含む。
トランジスタＱ２は、直流化手段６からのびる一方の出力ラインＬ１に介装されている。抵抗Ｒ２は、トランジスタＱ２の入力端（コレクタ）とベースの間に接続されている。サイリスタＳＣＲのアノード側はトランジスタＱ２のベースに接続され、カソード側は直流化手段６からのびる他方の出力ラインＬ２に接続されている。ツェナーダイオードＺＤ２は、他方の出力ラインＬ２とトランジスタＱ２のベースの間に接続されている。コンデンサＣ３は、他方の出力ラインＬ２とサイリスタＳＣＲのゲートの間に接続されている。
【０００７】
ＤＣ／ＤＣコンバータ９は、コネクタ８’を介して過電圧保護回路７’に着脱自在に接続される。ＤＣ／ＤＣコンバータ９は一対の入力部および出力部を有する。
【０００８】
過電圧検出回路１０は、ＤＣ／ＤＣコンバータ９の出力部から出力される過電圧（コンデンサＣ５の両端間電圧）を検出するものであって、一対の出力ラインＬ１、Ｌ２間に直列接続された抵抗Ｒ１、ツェナーダイオードＺＤ１および抵抗Ｒ３からなる。
【０００９】
コネクタ８’は、過電圧保護回路７’の出力側に接続された第１コネクタ８Ａ’と、ＤＣ／ＤＣコンバータ９の入力側（入力部）に接続された第２コネクタ８Ｂ’とからなる。
第１コネクタ８Ａ’は、トランジスタＱ２の出力端（エミッタ）に接続された端子Ｐ１と、サイリスタＳＣＲのカソードに接続された端子Ｐ２と、サイリスタＳＣＲのゲートに接続された端子Ｐ３を有する。
第２コネクタ８Ｂ’は、ＤＣ／ＤＣコンバータ９の一方の入力部に接続された端子Ｐ４と、ＤＣ／ＤＣコンバータ９の他方の入力部に接続された端子Ｐ５と、過電圧検出回路１０のツェナーダイオードＺＤ１および抵抗Ｒ３の接続点に接続された端子Ｐ６とを有する。
第１コネクタ８Ａ’の端子Ｐ１、Ｐ２およびＰ３は、それぞれ第２コネクタ８Ｂ’の端子Ｐ４、Ｐ５およびＰ６と接続可能になっている。
【００１０】
次に、この多出力電源回路１’の一連の動作（過電圧検出から過電圧保護解除に至るまでの動作）について説明する。なお、多出力電源回路１’は入力電圧Ｖｉの供給を受けているものとする。
【００１１】
まず、コネクタ８’（第１コネクタ８Ａ’および第２コネクタ８Ｂ’）を接続する。
この接続状態（端子Ｐ１、Ｐ２およびＰ３がそれぞれ端子Ｐ４、Ｐ５およびＰ６に接続された状態）において、ＤＣ／ＤＣコンバータ９の故障等によって出力電圧Ｖｏ２が過電圧となると、抵抗Ｒ３の両端に電圧が生じ、過電圧検出回路１０が出力電圧Ｖｏ２の過電圧を検出する。
そして、サイリスタＳＣＲのゲート電圧がゲートトリガ電圧以上になって、サイリスタＳＣＲが導通状態となり、当該導通状態を維持する保持電流が一方の出力ラインＬ１から抵抗Ｒ２およびサイリスタＳＣＲを経由して他方の出力ラインＬ２へ至る電流経路で流れる。この時、トランジスタＱ２のベースが他方の出力ラインＬ２に短絡され、トランジスタＱ２はオフ状態となる。その結果、出力電圧Ｖｏ２はゼロとなる。
なお、出力電圧Ｖｏ２がゼロとなると、抵抗Ｒ３の両端電圧がゼロとなって、サイリスタＳＣＲのゲート電圧もゲートトリガ電圧以下となるが、平滑コンデンサＣ２の両端電圧が比較的高い状態では、上記電流経路で保持電流が流れ続けるので、サイリスタＳＣＲは導通状態となったままである。このため、この導通状態を解除するためには、（１）入力電圧Ｖｉの供給を一時的に停止して、平滑コンデンサＣ２の両端電圧を十分低下させて、保持電流をゼロにするか、あるいは、（２）保持電流と逆方向の逆電流を強制的に流して、サイリスタＳＣＲを強制的に消弧させる消弧手段（図示略）を用いなければならない。
【００１２】
次に、コネクタ８Ａ’、８Ｂ’の分離（切り離し）を行う。
最後に、故障の原因と推定されるＤＣ／ＤＣコンバータ９を交換して新たなＤＣ／ＤＣコンバータ９を接続した第２コネクタ８Ｂ’と第１コネクタ８Ａ’を再び接続する。
【００１３】
しかしながら、この多出力電源装置１’では、ＤＣ／ＤＣコンバータ９を交換した後に、上記（１）または（２）の方法により、サイリスタＳＣＲの導通状態を解除しなければ出力電圧Ｖｏ２の出力を再開することができないので、必要以上の手間や時間がかかり、Ｖｏ２以外の出力Ｖｏ１も停止する必要があったり、余分な消弧手段が必要となったりする等、過電圧検出時におけるサイリスタＳＣＲの導通状態を簡単に解除することができないという問題があった。
【先行技術文献】
【特許文献】
【００１４】
【特許文献１】特開２００１−２６８９０８号公報
【特許文献２】特開平５−３０７４７号公報
【発明の概要】
【発明が解決しようとする課題】
【００１５】
本発明の目的は、過電圧検出時におけるサイリスタの導通状態を簡単に解除することができる多出力電源回路を提供することにある。
【課題を解決するための手段】
【００１６】
上記課題を解決するため、本発明は、入力電圧をスイッチング手段によってスイッチングしたスイッチング電圧が入力される一次巻線、および、複数の二次巻線を有するトランスと、前記複数の二次巻線のうちの少なくとも１つに誘起された交流電圧を直流化手段で直流化して、所定の出力電圧を出力する直流出力回路と、前記直流化手段の出力側に接続されたトランジスタを、サイリスタを非導通状態から導通状態にしてオフさせることで過電圧保護動作を実行する過電圧保護回路と、前記過電圧保護回路の出力側に分離自在に設けられ、該過電圧保護回路から出力された直流電圧が入力されるＤＣ−ＤＣコンバータと、前記過電圧保護回路の出力側と前記ＤＣ−ＤＣコンバータの入力側とを分離可能にする接続手段とを備え、前記接続手段によって前記過電圧保護回路の出力側と前記ＤＣ−ＤＣコンバータの入力側とが分離されるとき、前記サイリスタを通じて流れる電流経路が遮断されることを特徴とする多出力電源回路としたものである。
【００１７】
この構成では、トランスと、直流化手段を含む直流出力回路と、直流化手段に接続されたトランジスタを、サイリスタを導通状態にしてオフさせて過電圧保護動作する過電圧保護回路と、ＤＣ／ＤＣコンバータと、接続手段とが備えられ、接続手段によって過電圧保護回路の出力側とＤＣ−ＤＣコンバータの入力側とが分離されるとき、導通状態のサイリスタを通じて流れる電流経路が遮断されるように構成した。
したがって、この構成によれば、従来技術のように、入力電圧の供給を一時的に停止したり消弧手段を用いたりすることなく、接続手段による過電圧保護回路とＤＣ−ＤＣコンバータの分離のみを行うことによって、過電圧保護動作を実行する過電圧保護回路におけるサイリスタの導通状態を簡単に解除することができる。
【００１８】
上記構成において、前記ＤＣ／ＤＣコンバータから出力される出力電圧の過電圧を検出する過電圧検出回路をさらに備え、前記過電圧保護回路が、前記直流化手段からのびる一対の出力ラインのうちの一方の出力ラインに介装されたトランジスタ、前記トランジスタの入力端とベースの間に接続された抵抗、および、前記トランジスタのベースにアノード側が接続されたサイリスタを含み、前記接続手段の接続状態において、前記サイリスタのカソード側と前記一対の出力ラインのうちの他方の出力ラインとが接続され、前記サイリスタのゲートと前記過電圧検出回路とが接続され、前記接続手段の分離状態において、前記サイリスタのカソード側と前記他方の出力ラインとの接続が切り離されることが好ましい。
【００１９】
この構成では、過電圧検出回路がさらに備えられ、過電圧保護回路がトランジスタ、抵抗およびサイリスタを含み、接続手段の接続状態において、サイリスタのカソード側と他方の出力ラインとが接続されるとともにサイリスタのゲートと過電圧検出回路とが接続され（より詳細には、過電圧検出回路の過電圧検出時に、一方の出力ラインから抵抗およびサイリスタを通じて他方の出力ラインへと流れる電流経路が形成され）、接続手段の分離状態において、サイリスタのカソード側と他方の出力ラインとの接続が切り離される（より詳細には、過電圧検出回路の過電圧検出時に、導通状態となったサイリスタを通じて流れる上記電流経路が遮断される）ように構成した。
したがって、過電圧検出回路による過電圧検出時に、過電圧保護動作を実行する過電圧保護回路におけるサイリスタの導通状態を簡単に解除することができる。
【００２０】
上記構成において、前記接続手段は前記過電圧保護回路の出力側と前記ＤＣ−ＤＣコンバータの入力側とを着脱自在なコネクタからなることが好ましい。
この構成によれば、コネクタは一般的に回路間（過電圧保護回路およびＤＣ−ＤＣコンバータ間）の複数の接続および分離（切り離し）を同時的に安定して行うことができるものであるため、サイリスタの導通状態の解除をより瞬時に確実に行うことができる。
【発明の効果】
【００２１】
本発明によれば、過電圧検出時におけるサイリスタの導通状態を簡単に解除することができる。
【図面の簡単な説明】
【００２２】
【図１】本発明に係る多出力電源回路を示す回路図である。
【図２】本発明に係る多出力電源回路の動作を示すフローチャートである。
【図３】本発明に係る多出力電源回路の変形例を示す回路図である。
【図４】従来の多出力電源回路を示す回路図である。
【発明を実施するための形態】
【００２３】
以下、本発明の好ましい実施例について図面を参照しながら説明する。
【００２４】
（実施例）
図１は、本発明に係る多出力電源回路を示す回路図である。図１に示すように、この多出力電源回路１は、一次巻線Ｎ１および複数の二次巻線Ｎ２、Ｎ３を有するトランスＴと、複数の二次巻線Ｎ２、Ｎ３にそれぞれ接続された直流出力回路２、５とを備える。
直流出力回路２は、整流ダイオードＤ１および平滑コンデンサＣ１からなる直流化手段（整流平滑回路）３と、制御回路４とを備える。
直流出力回路５は、二次巻線Ｎ３に接続された一対の出力ラインＬ１、Ｌ２に設けられた、整流ダイオードＤ２および平滑コンデンサＣ２からなる直流化手段６と、過電圧保護回路７およびＤＣ／ＤＣコンバータ９からなる電圧安定化手段と、過電圧検出回路１０とを備える。
【００２５】
一次巻線Ｎ１には、ＦＥＴＱ１からなるスイッチング手段によって入力電圧Ｖｉがスイッチングされたスイッチング電圧が入力される。
直流出力回路２は、二次巻線Ｎ２に誘起された交流電圧を直流化手段３によって直流化して、出力電圧Ｖｏ１を出力する。この出力電圧Ｖｏ１は、制御回路４が出力側の電圧に基づいてＦＥＴＱ１をＰＷＭ制御するフィードバック制御により、安定化される。
直流出力回路５は、二次巻線Ｎ３に誘起された交流電圧を、直流化手段６および電圧安定化手段（７、９）によって直流安定化して、一対の出力端子から所定の出力電圧Ｖｏ２を出力する。
【００２６】
過電圧保護回路７は、直流化手段６の出力側に接続されたトランジスタＱ２を、サイリスタＳＣＲを非導通状態から導通状態にしてオフさせることで過電圧保護動作を実行するものである。過電圧保護回路７は、トランジスタ（ＮＰＮトランジスタ）Ｑ２、抵抗Ｒ２、サイリスタＳＣＲ、ツェナーダイオードＺＤ２およびコンデンサＣ３を含む。
【００２７】
トランジスタＱ２は、直流化手段６からのびる一対の出力ラインＬ１、Ｌ２のうちの一方の出力ラインＬ１に介装されている。抵抗Ｒ２は、トランジスタＱ２の入力端（コレクタ）とベースの間に接続されている。サイリスタＳＣＲの一端（アノード側）はトランジスタＱ２のベースに接続され、他端（カソード側）は、後述するコネクタ８の端子Ｐ７、Ｐ８を介して、直流化手段６からのびる他方の出力ラインＬ２（後述する第２コネクタ８Ｂ側）に接続される。ツェナーダイオードＺＤ２は、他方の出力ラインＬ２とトランジスタＱ２のベースの間に接続され、トランジスタＱ２の出力端（エミッタ）の電圧が所定電圧を超えないようにするものである。コンデンサＣ３は、他方の出力ラインＬ２とサイリスタＳＣＲのゲートの間に接続され、ゲート電圧が急変動することによるサイリスタＳＣＲの誤動作を防止するものである。
【００２８】
ＤＣ／ＤＣコンバータ９は、コネクタ８からなる接続手段を介して、過電圧保護回路７の出力側に分離自在に設けられ（着脱自在に接続され）、該過電圧保護回路７から出力された直流電圧が入力される一対の入力部、および出力部を有する。
【００２９】
過電圧検出回路１０は、ＤＣ／ＤＣコンバータ９の出力部から出力される出力電圧の過電圧（コンデンサＣ５の両端間電圧）を検出するものであって、一対の出力ラインＬ１、Ｌ２間に直列接続された抵抗Ｒ１、ツェナーダイオードＺＤ１および抵抗Ｒ３からなる。
【００３０】
コネクタ８は、過電圧保護回路７の出力側とＤＣ−ＤＣコンバータ９の入力側とを分離可能にするものであって、過電圧保護回路７の出力側に接続された第１コネクタ８Ａと、ＤＣ／ＤＣコンバータ９の入力側（入力部）に接続された第２コネクタ８Ｂとからなる。
第１コネクタ８Ａは、トランジスタＱ２の出力端に接続された端子Ｐ１と、ツェナーダイオードＺＤ２のアノードに接続された端子Ｐ２と、サイリスタＳＣＲのゲートに接続された端子Ｐ３と、サイリスタＳＣＲのカソードに接続された端子Ｐ７とを有する。
第２コネクタ８Ｂは、ＤＣ／ＤＣコンバータ９の一方の入力部に接続された端子Ｐ４と、ＤＣ／ＤＣコンバータ９の他方の入力部に接続された端子Ｐ５と、過電圧検出回路１０のツェナーダイオードＺＤ１および抵抗Ｒ３の接続点に接続された端子Ｐ６と、他方の出力ラインＬ２（ＤＣ／ＤＣコンバータ９の他方の入力部）に接続された端子Ｐ８と、を有する。
第１コネクタ８Ａの端子Ｐ１、Ｐ２、Ｐ３およびＰ７は、それぞれ第２コネクタ８Ｂの端子Ｐ４、Ｐ５、Ｐ６およびＰ８と接続可能になっている。
【００３１】
図２は、この多出力電源回路の動作を示すフローチャートである。
ここで、図１および図２を参照して、この多出力電源回路１の一連の動作（過電圧検出から過電圧保護解除に至るまでの動作）について、詳細に説明する。なお、多出力電源回路１は入力電圧Ｖｉの供給を受けているものとする。
【００３２】
まず、コネクタ８（第１コネクタ８Ａおよび第２コネクタ８Ｂ）を接続する。
この接続状態（端子Ｐ１、Ｐ２、Ｐ３およびＰ７がそれぞれ端子Ｐ４、Ｐ５、Ｐ６およびＰ８に接続された状態）において、ＤＣ／ＤＣコンバータ９の故障等によって出力電圧Ｖｏ２が過電圧となると、抵抗Ｒ３の両端に電圧が生じ、過電圧検出回路１０が出力電圧Ｖｏ２の過電圧を検出する（図２のステップＳ１参照）。
【００３３】
そして、サイリスタＳＣＲのゲート電圧がゲートトリガ電圧以上になって、サイリスタＳＣＲが導通状態となり（図２のステップＳ２参照）、当該導通状態を維持する保持電流が一方の出力ラインＬ１から抵抗Ｒ２、サイリスタＳＣＲ、端子Ｐ７および端子Ｐ８を通じて他方の出力ラインＬ２（第２コネクタ８Ｂ側）へ至る電流経路で流れる。この時、トランジスタＱ２のベースが他方の出力ラインＬ２に短絡され、トランジスタＱ２はオフ状態となる（図２のステップＳ３参照）。その結果、出力電圧Ｖｏ２はゼロとなる。
【００３４】
次に、コネクタ８の分離（過電圧保護回路７の出力側とＤＣ−ＤＣコンバータ９の入力側の分離）を行う（図２のステップＳ４参照）。この分離状態（端子Ｐ１、Ｐ２、Ｐ３およびＰ７がそれぞれ端子Ｐ４、Ｐ５、Ｐ６およびＰ８と分離された状態）において、サイリスタＳＣＲのカソード側と他方の出力ラインＬ２との接続が切り離されるので（端子Ｐ７と端子Ｐ８が分離されるので）、サイリスタＳＣＲの保持電流の電流経路が遮断され、サイリスタＳＣＲの導通状態が解除される（図２のステップＳ５参照）。
【００３５】
最後に、故障の原因と推定されるＤＣ／ＤＣコンバータ９を交換して新たなＤＣ／ＤＣコンバータ９を接続した第２コネクタ８Ｂと第１コネクタ８Ａを再び接続する（図２のステップＳ６参照）。その結果、直流出力回路５の出力端子から出力電圧Ｖｏ２が再び出力される。
【００３６】
この多出力電源回路１によれば、従来技術のように、入力電圧Ｖｉの供給を一時的に停止したり消弧手段を用いたりすることなく、コネクタ８による過電圧保護回路７とＤＣ−ＤＣコンバータ９の分離のみを行うことによって、過電圧保護動作の実行時（過電圧検出回路による過電圧検出時）におけるサイリスタＳＣＲの導通状態を簡単に解除することができる。そのため出力Ｖｏ２の過電圧異常時に、出力Ｖｏ１を停止することなく、出力Ｖｏ２を復旧することも可能となる。
また、コネクタ８は一般的に回路間（過電圧保護回路７およびＤＣ−ＤＣコンバータ９間）の複数の接続および分離（切り離し）を同時的に安定して行うことができるものであるため、サイリスタＳＣＲの導通状態の解除をより瞬時に確実に行うことができる。
【００３７】
以上、本発明の好ましい実施形態を説明したが、本発明の構成はこれらの実施形態に限定されるものではない。
例えば、以下の変形例のように、接続手段８の構成を適宜変更してもよい。
【００３８】
（変形例）
図３は、本発明に係る多出力電源回路の変形例を示す回路図である。図３の多出力電源回路１Ｂは、接続手段８を、機械的な接続を行うコネクタの代わりに、電気的な接続を行うリレースイッチ等のスイッチ回路に変更した点のみが、図１のものと異なる。
この多出力電源回路１Ｂによれば、スイッチ回路８が切り離されると、その各スイッチが制御信号等によって同時にオフすることにより、サイリスタＳＣＲの保持電流の電流経路が遮断されるので、サイリスタＳＣＲの導通状態が簡単に解除される。但し、本発明に係る多出力電源回路では、出力電圧Ｖｏ２に過電圧が発生した場合、ＤＣ／ＤＣコンバータ９の破損が疑われ、その対応にはスイッチ回路よりコネクタが適している。
【符号の説明】
【００３９】
１、１Ｂ、１’  多出力電源回路
２  直流出力回路
３  直流化手段（整流平滑回路）
４  制御回路
５  直流出力回路
６  直流化手段（整流平滑回路）
７、７’  過電圧保護回路
８  接続手段（コネクタ、スイッチ回路）
８’  コネクタ
８Ａ、８Ａ’  第１コネクタ
８Ｂ、８Ｂ’  第２コネクタ
９  ＤＣ／ＤＣコンバータ
１０  過電圧検出回路
Ｃ１、Ｃ２  平滑コンデンサ
Ｃｉ、Ｃ３〜Ｃ５  コンデンサ
Ｄ１、Ｄ２  整流ダイオード
Ｌ１  一方の出力ライン
Ｌ２  他方の出力ライン
Ｎ１  一次巻線
Ｎ２、Ｎ３  二次巻線
Ｐ１〜Ｐ８  端子
Ｑ１  ＦＥＴ（スイッチング手段）
Ｑ２  トランジスタ（スイッチング手段）
Ｒ１〜Ｒ３  抵抗
ＳＣＲ  サイリスタ
ＺＤ１、ＺＤ２  ツェナーダイオード（定電圧素子）
【図１】
0005704761.tif 000002
【図２】
0005704761.tif 000003
【図３】
0005704761.tif 000004
【図４】
0005704761.tif 000005